(57)【要約】【課題】  光走査装置１１の偏向器２２の駆動手段から発生する熱を帯びた風が偏向器に対向する壁２７を熱変形させる。そのため、壁２７が一体成形されている光学箱２６が変形し、偏向器２２および光学レンズ２３、２４の位置がずれる。結果として、感光ドラムに書き込むラインが、理想的なラインに対してずれ、曲がり、傾きを有するようになる。【解決手段】  壁２７とポリゴンミラー２２との間に熱を帯びた風を遮るための風防部材２９を配置し、風防部材２９は、風防部材２９の熱変形が光学箱２６を変形させないように設けられる。【選択図】  図３
2010026233.tif 000002
【特許請求の範囲】
【請求項１】
画像データに基づいて光を放射する光源と、
前記光源から放射された光を反射する複数の反射面を有し、前記複数の反射面が回転することによって前記光源から放射された光を偏向走査する偏向手段と、
前記偏向手段を回転駆動する駆動手段と、
前記偏向手段によって偏向走査された光を被走査体に導く光学手段と、
前記偏向手段の回転によって生じた風であって前記駆動手段から生じる熱を帯びた風を前記光学手段に対して遮るための、前記偏向手段と前記光学手段との間に設けられた風防手段と、
前記光源、前記偏向手段、及び前記光学手段の位置を決める位置決め手段と、を有し、
前記風防手段は、前記風防手段の熱変形が前記位置決め手段の位置決めに影響しないように設けられたことを特徴とする光走査装置。
【請求項２】
画像データに基づいて光を放射する光源と、
前記光源から放射された光を反射する複数の反射面を有し、前記複数の反射面が回転することによって前記光源から放射された光を偏向走査する偏向手段と、
前記偏向手段を回転駆動する駆動手段と、
前記偏向手段によって偏向された光を被走査体に導く光学手段と、
前記光源、前記偏向手段、及び前記光学手段の位置を決める位置決め手段と、
前記偏向手段と前記光学手段とを隔てるように設けられ、前記位置決め手段と一体的に設けられた壁と、
前記偏向手段の回転によって生じた風であって前記駆動手段から生じる熱を帯びた風を前記壁に対して遮るための、前記偏向手段と前記壁との間に設けられた風防手段と、を有し、
前記風防手段は、前記風防手段の熱変形が前記位置決め手段の位置決めに影響しないように設けられたことを特徴とする光走査装置。
【請求項３】
前記風防手段は、前記位置決め手段の位置決めに影響しないように伸縮可能に設けられたことを特徴とする請求項１または２に記載の光走査装置。
【請求項４】
前記風防手段は、前記壁の面との間に間隙を設けて保持されることを特徴とする請求項２に記載の光走査装置。
【請求項５】
前記壁は、前記偏向手段によって偏向走査された光を通過させる開口を有し、
前記偏向手段の回転によって生じた風であって前記開口を通過した風が、前記壁の前記偏向手段に対向する面の裏面に回り込んで当たることを防止するための、前記壁と前記光学手段の間であって前記開口の近傍に設けられた第２の風防手段を有することを特徴とする、請求項２に記載の光走査装置。
【請求項６】
前記風防手段は前記光走査装置に対して１箇所で固定されていることを特徴とする、請求項１乃至５いずれか１項に記載の光走査装置。
【請求項７】
前記風防手段は樹脂製の部材で構成されたことを特徴とする、請求項１乃至６いずれか１項に記載の光走査装置。
【請求項８】
前記風防手段は、前記偏向手段の回転により生じる風が当たる側が金属製の部材であり、前記壁に対向する側が樹脂製の部材であることを特徴とする、請求項２乃至６いずれか１項に記載の光走査装置。
【請求項９】
請求項１乃至８いずれか１項に記載の光走査装置を備える電子写真方式の画像形成装置。
【発明の詳細な説明】
【技術分野】
【０００１】
本発明は、電子写真複写機・電子写真プリンタ等の画像形成装置に備えられる光走査装置に関する。
【背景技術】
【０００２】
従来の画像形成装置に設けられる光走査装置を図１０に示す。この光走査装置は、画像情報に基づいてレーザ光を発光する光源（図示せず）、偏向走査する偏向器１００（以下、ポリゴンミラー）を備える。ポリゴンミラー１００は、図示しないモータ（以下、ポリゴンモータ）で回転駆動される。また、レーザ光を等速走査およびドラム上でスポット結像させる第一のレンズ１０１、第二のレンズ１０２（１０２ａ、１０２ｂ）、ビームを所定の方向へ反射する複数の折り返しミラー１０３（１０３ａ〜１０３ｄ）、防塵ガラス１０４を備える。この光走査装置には上記各部品を格納する光学箱１０５の内部と外部とを遮蔽するための上蓋１０６を取り付けられる。
【０００３】
図１０に示すようなカラー画像形成装置では、複数の画像ステーション１１０（１１０Ｙ、１１０Ｍ、１１０Ｃ、１１０Ｋ）が設けられている。各画像ステーション１１０には、感光ドラム１１１（１１１Ｙ、１１１Ｍ、１１１Ｃ、１１１Ｋ）、現像装置１１２（１１２Ｙ、１１２Ｍ、１１２Ｃ、１１２Ｋ）が備えられている。
【０００４】
静電潜像を形成する工程を、感光ドラム１１１Ｃに静電潜像を形成する場合を例にして説明する。光源から放射されたレーザ光は、ポリゴンミラー１００により偏向走査される。偏向走査されたレーザ光は、第一のレンズ１０１、折り返しミラー１０３ａ、第二のレンズ１０２ａ、折り返しミラー１０３ｂ、折り返しミラー１０３ｄおよび防塵ガラス１０４を経て、感光ドラム１１１Ｃに静電潜像を形成する。感光ドラム１１１Ｃに形成された静電潜像は現像装置１１２Ｃによって可視化され、図示しない転写装置によって記録材Ｐあるいは中間転写ベルト１１３を経て記録材Ｐに転写される。記録材Ｐに転写されたトナー像は、図示しない定着器によって定着され、画像形成が完了する。
【０００５】
従来の電子写真方式の画像形成装置には、ポリゴンミラー１００の回転により生じる熱により光学箱が熱変形し、走査線にずれ、曲がり、傾きが生じるという課題があった。光学箱の熱変形や光走査装置内に配置されたレンズの熱変形による屈折率変化によって、感光ドラム１１１上でのレーザ光の露光位置が変動し、照射位置や傾き等の諸特性が変化する。特に、カラー画像形成装置の場合、走査線のずれ、曲がり、傾きによって、各色の重なるべきラインが重ならない、所謂色ずれという現象が起こる。色ずれが起こると画質が低下する。
【０００６】
ここで、光走査装置の熱変形による色ずれについて詳しく説明する。光走査装置により静電潜像を形成する場合、ポリゴンミラー１００を回転させる時のモータのコイルやＩＣに流れる電流によって熱が発生する。これらの熱は、ポリゴンミラー１００の回転により生じる気流によって光走査装置内に拡散し、光学箱を含む走査装置の各部を熱膨張させる。複写機やプリンタに備えられる光走査装置のレーザ光は、折り返しミラー１０３や様々な光学レンズを通過して感光ドラム１１１上に照射される。そのため、光学部品自身や光学部品が光学箱内の少しの熱変動が原因で熱変形を起こすと、結果として走査線のずれ、曲がり、傾きが生じる。
【０００７】
図１１は、カラー画像形成装置において、上述した昇温により走査線のずれ、曲がり、傾きが生じることによる色ずれを模式的に示した図である。図中の色ずれ量は説明をわかり易くするために変動量を大きく示している。図１１の走査線上の略中央部の実線部は、各色における光学上の中心位置を示している。
【０００８】
走査線は画像形成装置の各要素の熱膨張によってそれぞれ変動し、主走査方向については倍率や書き出し位置、副走査方向については照射位置や傾き、曲りが発生する。さらに主走査方向は光学上の中心位置が変動することで各像高近傍での画像の伸縮量も変動する。
【０００９】
光走査装置の熱対策として、以下に示す手法が提案されている（例えば、特許文献１）。特許文献１には、ポリゴンミラーを駆動するモータの熱による影響を抑制する為に、ポリゴンミラーと走査結像光学系との間に光ビームを通過させる開口を有する立ち壁を設ける構成が開示されている。これによれば、ポリゴンミラー駆動による生じた熱を帯びた風が結像光学系に直接当たらないため、結像光学系の歪みを抑制し、画質の劣化を抑制することができる。
【特許文献１】特開２００７−７９５１５号公報
【発明の開示】
【発明が解決しようとする課題】
【００１０】
しかしながら、特許文献１の光走査装置は、光学部品（光学レンズ、ミラー）の熱膨張を低減するものである。先に説明したように、温度上昇に起因する走査線のずれ、曲がり、傾きを発生させる光走査装置の要因としては光学部品だけでは無く、光学部品を支持する光学箱の変形がある。そのため、光学部品に対する温度上昇対策のみならず、光学部品を保持する光学箱の変形への対策を施す必要がある。
【００１１】
また、図１２に示すように、ポリゴンミラー１００が回転すると、ポリゴンミラー１００の回転軸に水平な面の外側に向かうような風が発生する。上述したように、ポリゴンミラー１００を回転させるとモータから熱が生じるため、この風は熱を帯びる。上記のようにポリゴンミラー１００と光学部品との間に、光学部品に当たる風を遮るための壁を設けると、熱を帯びた風が壁にあたり、壁の温度が上昇して壁が変形する。この壁が変形するとこの変形が光学箱に影響を及ぼし、光学箱が熱変形する。結果として、光学箱の変形に伴う走査線のずれ、曲がり、傾きが起こる。
【００１２】
さらに、実際の画像形成装置に備えられる光走査装置では、光学箱にリブ形状の補強部材を光学箱に一体的に成形あるいは補強部材を複数の固定箇所で光学箱に固定し、光学箱の剛性を高め、光学箱の熱による変形を抑制している。これらの補強部材に熱を帯びた風があたることによる補強部材の変形が光学箱が変形させている。それにより、光学箱の変形に伴う走査線のずれ、曲がり、傾きが起こる。
【課題を解決するための手段】
【００１３】
上記課題に鑑み、本発明の請求項１の光走査装置は、画像データに基づいて光を放射する光源と、前記光源から放射された光を反射する複数の反射面を有し、前記複数の反射面が回転することによって前記光源から放射された光を偏向走査する偏向手段と、前記偏向手段を回転駆動する駆動手段と、前記偏向手段によって偏向走査された光を被走査体に導く光学手段と、前記偏向手段の回転によって生じた風であって前記駆動手段から生じる熱を帯びた風を前記光学手段に対して遮るための、前記偏向手段と前記光学手段の間に設けられた風防手段と、前記光源、前記偏向手段、及び前記光学手段の位置を決める位置決め手段と、を有し、前記風防手段は、前記風防手段の熱変形が前記位置決め手段の位置決めに影響しないように設けられたことを特徴とする。
【００１４】
また、本発明の請求項２の光走査装置は、画像データに基づいて光を放射する光源と、前記光源から放射された光を反射する複数の反射面を有し、前記複数の反射面が回転することによって前記光源から放射された光を偏向走査する偏向手段と、前記偏向手段を回転駆動する駆動手段と、前記偏向手段によって偏向された光を被走査体に導く光学手段と、前記光源、前記偏向手段、及び前記光学手段の位置を決める位置決め手段と、前記偏向手段と前記光学手段とを隔てるように設けられ、前記位置決め手段と一体的に設けられた壁と、前記偏向手段の回転によって生じた風であって前記駆動手段から生じる熱を帯びた風を前記壁に対して遮るための、前記偏向手段と前記壁の間に設けられた風防手段と、を有し、前記風防手段は、前記風防手段の熱変形が前記位置決め手段の位置決めに影響しないように設けられたことを特徴とする。
【発明の効果】
【００１５】
請求項１の光走査装置によれば、前記偏向手段の回転によって生じた風であって前記駆動手段から生じる熱を帯びた風を前記光学手段に対して遮るために、前記偏向手段と前記光学手段との間に風防手段を設ける。その風防手段は、風防手段の熱変形が前記位置決め手段の位置決めに影響しないように設けられている。そのため、熱を帯びた風が光学手段に当たらない構成にすることができるとともに、風防手段の熱変形が位置決め手段の位置決めに影響を及ぼさないため、走査線のずれ、曲がり、傾きを抑制することができる。
【００１６】
請求項２の光走査装置によれば、偏向手段の回転によって生じた風であって前記駆動手段から生じる熱を帯びた風を前記壁に対して遮るために、風防手段を偏向手段と壁との間に設ける。この防風手段は、風防手段の熱変形が位置決め手段の位置決めに影響しないように設けられる。そのため、壁に直接熱を帯びた風が当たることが防止されるとともに、風防手段の熱変形が位置決め手段の位置決めに影響を及ぼさないため、走査線のずれ、曲がり、傾きを抑制することができる。
【発明を実施するための最良の形態】
【００１７】
（第１の実施形態）
本実施形態に係る光走査装置を図１から図を用いて説明する。
【００１８】
図１は、本実施形態における光走査装置を備える画像形成装置の概略図である。図２は、本実施形態における光走査装置の全体の斜視図を示す。図３は、図２に示す光走査装置のポリゴンミラー周囲の斜視図である。図２および図３では、光走査装置の内部部品の説明のため、後述する蓋部材は図示していない。
【００１９】
まず、図１について説明する。本実施形態における画像形成装置は、光走査装置１１、各色に対応する画像形成部１２（１２Ｙ、１２Ｍ、１２Ｃ、１２Ｋ）、中間転写ベルト１３を備える。画像形成部１２には、感光ドラム１４（被走査体、１４Ｙ、１４Ｍ、１４Ｃ、１４Ｋ））、帯電装置１５（１５Ｙ、１５Ｍ、１５Ｃ、１５Ｋ）、現像装置１６（１６Ｙ、１６Ｍ、１６Ｃ、１６Ｋ）が備えられている。図１から明らかなように、本実施形態にかかる画像形成装置は、光走査装置１１によって画像形成部の下面側から露光する方式を採用しており、光走査装置１１は上方の感光ドラム１４へ向けてビームを照射する。
【００２０】
光走査装置１１は、入力画像データに基づいて、帯電装置１５によって均一に帯電された感光ドラム１４を走査して静電潜像を形成する。静電潜像は、トナーを用いて現像装置１６によって可視化される。感光ドラム１４上のトナー像は、１次転写部Ｔ（Ｔｙ、Ｔｍ、Ｔｃ、Ｔｋ）で図示しない転写装置によって中間転写ベルト１３に転写される。中間転写ベルト１３上のトナー像は、２次転写部ｔで図示しない転写装置によって給紙部１７から搬送されてきた記録材Ｐに転写される。記録紙Ｐに転写されたトナー像は、定着装置１８によって記録材Ｐに加熱定着され、排紙部１９に排紙される。
【００２１】
続いて図１に示す画像形成装置に備えられる光走査装置１１について、図２及び図３を用いて説明する。図２の光走査装置１１には、各色に対応する光源２１が複数設けられ、画像データに応じて光源２１からはレーザ光が放射される。光源２１から放射されるレーザ光は偏向器２２（以下、ポリゴンミラー２２とする）により偏向走査される。このポリゴンミラー２２は、モータによって駆動される。このポリゴンミラー２２の反射面に対向するようには、感光ドラム上にレーザ光を案内するレンズが配置される。このレンズには、例えば、結像させつつ等速走査を行う光学レンズが設けられる。本実施形態では、光学レンズは第１の光学レンズ２３（２３ａ、２３ｂ）および第２の光学レンズ２４（２４ａ〜２４ｄ）の複数のレンズで構成されているが、光学系を形成する光学素子の数はこれに限られるものではない。
【００２２】
第１の光学レンズ２３ａ、２３ｂの２個のレンズは、イエロー及びマゼンタ、シアン及びブラックに対応するビームで共用させており、第２の光学レンズは各色毎に配置されている。また、偏向走査したレーザ光を各感光ドラムへ導く為の折り返しミラー２５（２５ａ〜ｆ）を各ビームの光路上に配置している。そして上記各部品は光学箱（位置決め手段）２６の各取り付け部に固定され、位置決めされる。
【００２３】
図２に示すように、ポリゴンミラー２２の周囲には、ポリゴンミラー２２が回転することにより生じる熱風が第１の光学レンズ２３に当たることを遮る壁２７が設けられている。また、壁２７は光走査装置１１の剛性を確保するために、壁２７に一体成形されている。本実施形態のようにポリゴンミラー２２に対して対向方向に走査する方式を用いた光走査装置１１は、一般的に製品のコンパクト化を実現するために折り返しミラー２５によって複数回光路を光走査装置１１内で光束を折り返す構成を用いている。そのため、光走査装置１１内に配置される光学部品が多く、光学箱２６の剛性が不足気味となる。その対策として、光学箱２６の底面から天井（蓋部材）まで伸びるような高さのあるリブ状の壁２７を光学箱２６に対して一体成形し、光学箱２６の剛性を高める構成としている。
【００２４】
しかしながら、ポリゴンミラー２２により偏向された光の光路を確保するためには、高さの有するリブを配置できる箇所には制限がある。通常、ポリゴンミラー２２は光走査装置１１の中央部に設けられる。そのため、光学箱２６の剛性を効果的に高めるためには、ポリゴンミラー２２の周囲にリブ状の壁を設けるのが好ましい。本実施形態の光走査装置１１では、ポリゴンミラー２２の周囲に偏向走査領域を除いた部分に強度を確保するための壁２７を設け剛性を確保する。壁２７には開口部２８が設けられ、この開口部２８からは第１の光学レンズ２３へ向けてレーザ光が通過する。
【００２５】
この壁２７にはそれ以外にも
・光学レンズ２３、２４の入射面もしくは出射面からの反射光がポリゴンミラー２２の方向へ戻り、対向する光学レンズ２３、２４へその反射光が入射してしまう、所謂フレア光の防止
・ポリゴンミラー２２の防塵
といった効果を有している。
【００２６】
しかしながら、以上のような壁２７を設けることによってポリゴンミラー２２を回転させる駆動装置（モータやＩＣ）の発熱により、ポリゴンミラー２２の周囲に熱が集中しやすくなる。上述したように、ポリゴンミラー２２の回転するときの反射面付近の気流は、回転軸の外側に向く（図１２参照）。そのため、壁２７には、ポリゴンミラー２２の回転駆動により生じた熱を帯びた風が当たる。それにより、壁２７が熱膨張して変形し、結果として壁２７が一体成形されている光学箱２６の変形に至る。そのため、本実施形態では、ポリゴンミラー２２の回転により生じる風が、直接壁２７に当たることを防止する風防部材２９をポリゴンミラー２２の周囲の壁２７に沿うように配置し、ポリゴンミラー２２周囲に形成されている壁２７の温度上昇を抑制する。
【００２７】
以下、風防部材２９についてさらに詳しく説明する。図３は光走査装置１１に風防部材２９を設置したときの図である。この風防部材２９は、ポリゴンミラー２２に対向する側の壁２７の面に沿うように設置される。この風防部材２９は図４に示すように、壁２７に対して略線状の接触部２９１で接する構成を用いている。このような構成にすることによって、壁２７と風防部材２９との間の大部分に空気層Ａ（間隙）を構成することができる。それにより、風防部材２９の温度が上昇しても、壁２７への熱伝導を少なく抑えられるため、壁２７の熱変形を抑制することができる。
【００２８】
また、風防部材２９と壁２７との接触面とを大きくすると、熱伝導により風防部材２９の熱が壁２７に伝わり、光学箱２６の熱変形につながる。それに対して、本実施形態の光走査装置１１では、風防部材２９を光学箱２６に１箇所で固定し、その他の箇所において、風防部材２９は光学箱２６または壁２７に対して固定されていない。つまり、風防部材２９は光学箱２６（壁２７を含む）から独立して、１箇所の固定箇所から伸縮可能に光学箱２６に設けられている。これにより、風防部材２９が熱膨張しても、膨張時に風防部材２９に生じる力が極力壁２７に作用しないようにすることができる。
【００２９】
他の支持手法として、壁２７から離れた非接触状態でも良く、略線状ではなく、略点状の接点を設けても同様の効果を得ることができる。また、この風防部材２９は光学箱２６の壁２７に風が当たらないようにするために、壁２７と略同一もしくはそれ以上の高さを有している。
【００３０】
また、図５に示すように、風防部材２９は蓋部材５１の一方の面と対向する構成が取られている。風防部材２９と蓋部材５１との間には隙間Ｂが形成される。この隙間はポリゴンミラー２２による気流が風防部材２９に当たった後に上方へ向かった風を周囲に拡散させるための隙間である。この隙間を設けることでポリゴンミラー２２の周囲に熱が篭ることなく熱が光走査装置１１内を循環し、昇温量の均一化を図り、熱の集中による局所的な変形を抑制することができる。
【００３１】
図６の左図は風防部材２９の有無による壁２７の温度、右図は風防部材２９の有無による走査線の時間変化量（理想走査線とのずれ量）を示している。図６からも明らかなように、風防部材２９を設けることによって壁２７の昇温が抑制され、その効果として走査線の変化量が抑えられている。
【００３２】
また、この風防部材２９は壁２７のポリゴンミラーの反射面に対向する面の裏面側にも設けられている。図７に示すように、ポリゴンミラー２２の回転により生じる風は走査方向の上流側から下流側へ流れる。そのため、走査方向下流側では、蓋部材５１との隙間や開口部２８から流れ出た風が、図７の矢印に示すように、ポリゴンミラー２２と対向する壁面の裏側の壁面にも流れる。そのため、走査方向下流側では、ポリゴンミラー２２に対向する側の壁面を遮蔽するだけでは壁の温度上昇を抑えることはできない。そこで、図７に示すようにポリゴンミラー２２の反射面に対向する壁２７の裏面を遮蔽する第２の風防部材７２を設ける。それにより、壁２７の熱膨張を抑えることができ、更なる効果が期待できる。特に、ポリゴンミラー２２からの距離が近い開口部の近傍には温度の高い熱風が当たるので、その部分に設けることによって壁２７の変形を抑えることができる。なお、風防部材２９と第２の風防部材７２は同一の部材で成形しても良いし、別部材で構成しても良い。
【００３３】
また、ポリゴンミラー２２の周囲に形成された壁２７の中でも、光学箱２６の変形に大きく影響を及ぼす部分とそうでない部分がある。これは壁２７の各部の強度の違いや熱分布（昇温量の違い）等による。そこで図８に示すように、風防部材２９がポリゴンミラー２２を覆う周囲の壁面全域を覆う構成ではなく、一部のみを覆う形状であっても良い。図８ではその一例として、ポリゴンミラー駆動回路基板に実装されたＩＣ８１やコンデンサ８２等の近傍の壁２７の面を覆う構成を図示している。この場合、モータのコイルに限らずＩＣ８１やコンデンサ８２による熱が気流によって壁面にあたる部分を遮蔽する効果を有する。
【００３４】
ここで、風防部材２９を光学箱２６に固定する方法であるが、この風防部材２９は光学箱２６に対して１箇所で固定されている。図８では１箇所ビス８３で締結を行っている。これは、２点以上の多点箇所で固定した場合、その２点間の風防部材２９の変形が光学箱２６を変形させてしまう。そのため、風防部材２９は光学箱２６に対して１点で固定され、その他の支持部は壁２７と接しているだけなので、風防部材２９が変形しても変形分を逃がすことができる構成にしている。
【００３５】
固定方法としてはビス固定以外にも方法があるが、例えば、弾性を有した部材で光学箱２６とその弾性部材とで挟む方法や、突起部や溝部・穴部等に差し込む方法等、ビスを用いない締結方法の場合は締結箇所と数えない。
【００３６】
本実施形態の風防部材２９は、樹脂部材あるいは金属部材で構成されているのが好ましい。一般的に、樹脂部材は金属部材と比較して吸熱効果は低いが、断熱効果は高い。また、金属部材は樹脂部材と比較して断熱効果は低いが吸熱効果は高い。樹脂部材を用いる場合、この断熱効果を活用することで、走査線のずれ、曲がり、傾きが生じる速度をより緩やかにすることができる。金属部材を用いる場合、この吸熱効果を活用することで、走査線のずれ、曲がり、傾きが生じる速度をより緩やかにすることができる。
【００３７】
本実施形態では金属部材の一部分に絞り加工を行う等で、上述の構成を成形し、風防部材２９と壁２７との間に空気層Ａを形成させることで断熱効果を確保しつつ、吸熱効果を確保している。当然ではあるが、熱容量を確保するために金属部材の厚みを増すほど効果は大きくなる。
【００３８】
更に他の手法として、図９に示すように、金属製部材９１と樹脂製部材９２とを組み合わせて風防部材２９を構成してもよい。図９の風防部材２９は、表側にアルミ等の金属製部材９１を設け、その裏面側（壁２７に対向する面）に樹脂製部材９２を用いた構成である。本構成を用いることで、金属製部材９１による吸熱効果と樹脂製部材９２による断熱効果を両立することが可能ある。
【００３９】
図９に示している風防部材２９は、金属製部材９１を樹脂製部材９２に対して突起部で嵌め合わせることで外れない構成としているが、ビスを用いて固定しても良い。その場合、風防部材２９が変形することは問題無いため、締結ビスの数は１箇所である必要は無い。但し、光学箱２６に固定する箇所は１箇所であることが必要である。
【００４０】
なお、風防部材２９の形状は例示した形状である必要は無く、同様の効果を得ることができればどのような形状であっても良い。また、風防部材２９は樹脂製材料のみや、金属製材料のみの場合であっても１つの部品である必要は無く、複数の部品から構成されていても良い。また、そのように複数の部品で構成される場合には、光学箱２６に取り付ける箇所が１箇所であれば、部材同士は複数箇所で固定されていても良い。
【００４１】
更に、本実施例で例示した光走査装置１１は、ポリゴンミラー２２に対して対向方向に走査する方式を用いたが、特に対向方向に走査する方式である必要はない。例えば、各色の感光ドラム１４に対してポリゴンミラー２２が設けられ、それぞれ独立に露光を行う方式の光走査装置１１、であっても良い。
【００４２】
また、本実施例では、壁２７を風防部材２９で覆う構成について説明したが、壁２７を設けずに風防部材２９によってポリゴンミラー２２と光学レンズ２３、２４とを隔てる構成としても良い。この場合、風防部材２９はポリゴンミラー２２に対向する面を設けることによってポリゴンミラー２２を覆う。レーザ光を通過させる開口部２８を有する。これにより、ポリゴンミラー２２の近傍に配置された光学レンズに熱を帯びた風が直接当たることを抑制できるため、光学レンズの熱変形による走査線のずれ、曲がり、傾きを抑えることができる。
【００４３】
また、このときの風防部材２９は、光学箱２６に１箇所で固定され、固定された以外の位置で光学箱２６と点接触または線接触させて筐体内に保持される。これにより、風防部材２９が熱変形しても、変形量分を逃がすことができる構成にしている。
【図面の簡単な説明】
【００４４】
【図１】本実施形態にかかる光走査装置を備える画像形成装置の断面図である。
【図２】本実施形態にかかる光走査装置の斜視図である。
【図３】本実施形態にかかる光走査装置の拡大図である。
【図４】本実施形態にかかる光走査装置の壁及び風防部材の位置関係を示す図である。
【図５】本実施形態にかかる光走査装置の断面図である。
【図６】本実施形態の効果を説明する図である。
【図７】本実施形態にかかる光走査装置に第２の風防部材を設けたときの図である。
【図８】本実施形態にかかる光走査装置の風防部材の固定方法を示す図である。
【図９】本実施形態にかかる光走査装置の風防部材に金属製の部材と樹脂製の部材を用いたときの図である。
【図１０】従来の光走査装置を備える画像形成装置の断面図である。
【図１１】従来の画像形成装置における色ずれを説明する図である。
【図１２】従来の光走査装置のポリゴンミラー近傍の気流を説明する図である。
【符号の説明】
【００４５】
１１  光走査装置
１２  現像装置
１３  中間転写ベルト
１４  感光ドラム
２１  光源
２２  偏向器（ポリゴンミラー）
２３  第１の光学レンズ
２４  第２の光学レンズ
２５  折り返しミラー
２６  光学箱
２７  壁
２８  開口
２９  風防部材
５１  蓋部材
７２  第２の風防部材
８１  ＩＣ
８２  コンデンサ
８３  ビス
Ａ  空気層
Ｂ  隙間
Ｔｙ、Ｔｍ、Ｔｃ、Ｔｋ  １次転写部
ｔ  ２次転写部
【図１】
2010026233.tif 000003
【図２】
2010026233.tif 000004
【図３】
2010026233.tif 000005
【図４】
2010026233.tif 000006
【図５】
2010026233.tif 000007
【図６】
2010026233.tif 000008
【図７】
2010026233.tif 000009
【図８】
2010026233.tif 000010
【図９】
2010026233.tif 000011
【図１０】
2010026233.tif 000012
【図１１】
2010026233.tif 000013
【図１２】
2010026233.tif 000014